(57)【特許請求の範囲】
【請求項１】
複数の撮影条件を設定可能な撮影装置であって、
前記複数の撮影条件の中から撮影条件を選択する選択手段と、
前記選択手段による選択結果に応じて撮影制御を行う撮影制御手段と、
時刻を計時する計時手段と、
前記選択手段の選択結果に応じて、前記計時手段により計時される時刻の単位を変更する時刻単位変更手段と、
前記選択手段の選択結果に応じて、前記計時手段により計時される時刻の表現方法を変化させる時刻表示変更手段と、
画像を表示する表示手段と、
前記画像と共に、前記時刻単位変更手段によって単位が変更された現在時刻を前記時刻表示変更手段で変化された表現方法で前記表示手段によって表示させる表示制御手段と、
を備えた撮影装置。
【請求項２】
前記撮影条件は、連写スピード又はシャッタースピードを含むことを特徴とする請求項１に記載の撮影装置。
【請求項３】
前記撮影制御手段による撮影制御により得られた画像データと共に、前記選択手段による選択結果を示すデータと前記計時手段により計時された当該画像データの撮影時刻を示すデータを記録媒体に記録する記録制御手段を更に備えることを特徴とする請求項１または２記載の撮影装置。
【請求項４】
前記時刻単位変更手段は、前記記録制御手段によって記録された前記選択結果を示すデータに応じて前記記録媒体に記録された前記撮影時刻を示すデータの単位を変更する手段を更に備えることを特徴とする請求項３に記載の撮影装置。
【請求項５】
前記記録制御手段は、前記撮影制御手段による撮影制御により得られた画像データと共に、前記計時手段により計時された撮影時刻を示すデータを記録媒体に記録する際に、前記時刻単位変更手段によって撮影時刻の単位が変更されたデータを当該画像データの撮影時刻として記録媒体に記録することを特徴とする請求項３に記載の撮影装置。
【請求項６】
前記時刻表示変更手段は、前記記録制御手段によって記録された選択結果を示すデータに応じて、画像と共に表示させる時刻の表現方法を変化させることを特徴とする請求項３または４に記載の撮影装置。
【請求項７】
前記時刻表示変更手段は、前記選択手段による選択結果に対応させる時刻表示の表現方法をユーザの指示によって設定可能にする第１の設定手段を更に備えたことを特徴とする請求項１〜６の何れか一項に記載の撮影装置。
【請求項８】
前記時刻単位変更手段は、前記選択手段による選択結果に対応させる時刻の単位をユーザの指示によって設定可能にする第２の設定手段を更に備えたことを特徴とする請求項１〜６の何れか一項に記載の撮影装置。
【請求項９】
時刻を計時する計時手段と、表示手段とを備え、
複数の撮影条件を設定可能な撮影装置が有するコンピュータを、
前記複数の撮影条件の中から撮影条件を選択する選択手段と、
前記選択手段による選択結果に応じて撮影制御を行う撮影制御手段と、
前記選択手段の選択結果に応じて、前記計時手段により計時される時刻の単位を変更する時刻単位変更手段と、
前記選択手段の選択結果に応じて、前記計時手段により計時される時刻の表現方法を変化させる時刻表示変更手段と、
前記画像と共に、前記時刻単位変更手段によって単位が変更された現在時刻を前記時刻表示変更手段で変化された表現方法で前記表示手段によって表示させる表示制御手段と、
して機能させるためのプログラム。
【請求項１０】
記録媒体に記録された画像と時刻を表示させることが可能な画像表示装置であって、
記録媒体に記録されたデータから、画像データと撮影条件を示すデータと時刻を示すデータを取得する取得手段と、
前記取得手段によって取得した撮影条件を示すデータに応じて、前記取得手段によって取得した時刻を示すデータの単位を変更する前記時刻単位変更手段と、
前記取得手段によって取得した撮影条件を示すデータに応じて、前記取得手段によって取得した時刻の表現方法を変化させる時刻表示変更手段と、
前記時刻単位変更手段によって単位が変更された時刻を前記時刻表示変更手段で変化された表現方法で前記画像データともに表示させる表示制御手段と、
を備えた画像表示装置。
【発明の詳細な説明】
【技術分野】
【０００１】
本発明は、撮影装置及びそのプログラム並びに画像表示装置に係り、詳しくは時計機能を備えた撮影装置及びそのプログラム並びに画像表示装置に関する。
【背景技術】
【０００２】
従来、例えば一般的なデジタルカメラであれば、撮影時刻を画像と共に記録し、撮影画像を表示する際に、撮影時刻を確認することができた。
【特許文献１】特開平８−１８４８９４号公報
【発明の開示】
【発明が解決しようとする課題】
【０００３】
しかしながら、従来のデジタルカメラは、時刻表示が分単位であることが多く、撮影した画像の記録単位も秒単位であることが多かった。そのため、例えば、高速連写すると、得られた画像の撮影時刻が同じ時刻になってしまい、明確にわかりにくいという問題があった。また単に、秒未満の単位まで表示（記録）可能にしたとしても、単写撮影においては、秒未満の単位は不必要な情報となってしまうことが多い。
【０００４】
そこで本発明は撮影の状況に適した時間情報を得ることができる撮影装置及びそのプログラム並びに画像表示装置を提供することを目的としている。
【課題を解決するための手段】
【０００５】
上記課題を解決するために、請求項１の発明に係る撮影装置は、複数の撮影条件を設定可能な撮影装置であって、前記複数の撮影条件の中から撮影条件を選択する選択手段と、前記選択手段による選択結果に応じて撮影制御を行う撮影制御手段と、時刻を計時する計時手段と、前記選択手段の選択結果に応じて、前記計時手段により計時される時刻の単位を変更する時刻単位変更手段と、前記選択手段の選択結果に応じて、前記計時手段により計時される時刻の表現方法を変化させる時刻表示変更手段と、画像を表示する表示手段と、前記画像と共に、前記時刻単位変更手段によって単位が変更された現在時刻を前記時刻表示変更手段で変化された表現方法で前記表示手段によって表示させる表示制御手段と、を備えたことを特徴としている。
【０００６】
また、請求項２記載の発明に係る撮影装置では、前記撮影条件は、連写スピード又はシャッタースピードを含むことを特徴とする。
【０００７】
また、請求項３記載の発明に係る撮影装置では、前記撮影制御手段による撮影制御により得られた画像データと共に、前記選択手段による選択結果を示すデータと前記計時手段により計時された当該画像データの撮影時刻を示すデータを記録媒体に記録する記録制御手段を更に備えることを特徴とする。
【０００８】
また、請求項４記載の発明に係る撮影装置は、前記時刻単位変更手段は、前記記録制御手段によって記録された前記選択結果を示すデータに応じて前記記録媒体に記録された前記撮影時刻を示すデータの単位を変更する手段を更に備えることを特徴とする。
【０００９】
また、請求項５記載の発明に係る撮影装置では、前記記録制御手段は、前記撮影制御手段による撮影制御により得られた画像データと共に、前記計時手段により計時された撮影時刻を示すデータを記録媒体に記録する際に、前記時刻単位変更手段によって撮影時刻の単位が変更されたデータを当該画像データの撮影時刻として記録媒体に記録することを特徴とする。
【００１０】
また、請求項６記載の発明に係る撮影装置は、前記時刻表示変更手段は、前記記録制御手段によって記録された選択結果を示すデータに応じて、画像と共に表示させる時刻の表現方法を変化させることを特徴とする。
【００１１】
また、請求項７記載の発明に係る撮影装置では、前記時刻表示変更手段は、前記選択手段による選択結果に対応させる時刻表示の表現方法をユーザの指示によって設定可能にする第１の設定手段を更に備えたことを特徴とする。
【００１２】
また、請求項８記載の発明に係る撮影装置では、前記時刻単位変更手段は、前記選択手段による選択結果に対応させる時刻の単位をユーザの指示によって設定可能にする第２の設定手段を更に備えたことを特徴とする。
【００１４】
また、請求項９記載の発明に係る撮影装置のプログラムは、時刻を計時する計時手段と、表示手段とを備え、複数の撮影条件を設定可能な撮影装置が有するコンピュータを、前記複数の撮影条件の中から撮影条件を選択する選択手段と、前記選択手段による選択結果に応じて撮影制御を行う撮影制御手段と、前記選択手段の選択結果に応じて、前記計時手段により計時される時刻の単位を変更する時刻単位変更手段と、前記選択手段の選択結果に応じて、前記計時手段により計時される時刻の表現方法を変化させる時刻表示変更手段と、前記画像と共に、前記時刻単位変更手段によって単位が変更された現在時刻を前記時刻表示変更手段で変化された表現方法で前記表示手段によって表示させる表示制御手段と、して機能させる。
【００１５】
また、請求項１０記載の発明に係る画像表示装置は、記録媒体に記録された画像と時刻を表示させることが可能な画像表示装置であって、記録媒体に記録されたデータから、画像データと撮影条件を示すデータと時刻を示すデータを取得する取得手段と、前記取得手段によって取得した撮影条件を示すデータに応じて、前記取得手段によって取得した時刻を示すデータの単位を変更する前記時刻単位変更手段と、前記取得手段によって取得した撮影条件を示すデータに応じて、前記取得手段によって取得した時刻の表現方法を変化させる時刻表示変更手段と、前記時刻単位変更手段によって単位が変更された時刻を前記時刻表示変更手段で変化された表現方法で前記画像データともに表示させる表示制御手段と、を備える。
【発明の効果】
【００１６】
撮影条件に適した時間の単位で、時間情報を得ることができる。
【発明を実施するための最良の形態】
【００１７】
以下、本発明の一実施形態を図にしたがって説明する。
（第１の実施形態）
図１は、本発明の一実施形態に係るデジタルカメラ１の概略構成を示すブロック図である。このデジタルカメラ１は、撮影手段であるＣＣＤ２とＤＳＰ／ＣＰＵ３とを有している。ＤＳＰ／ＣＰＵ３は、撮影データの圧縮・伸張、音声データの処理を含む各種のデジタル信号処理機能を有するとともにデジタルカメラ１の各部を制御するワンチップマイコンである。
【００１８】
ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮影信号が入力するユニット回路５が接続されている。ユニット回路５は、入力した撮影信号を保持するＣＤＳと、その撮影信号を増幅するゲイン調整アンプ（ＡＧＣ）、増幅された撮像信号をデジタルの撮影信号に変換するＡ／Ｄ変換器（ＡＤ）から構成されており、ＣＣＤ２の出力信号はユニット回路５を経てデジタル信号としてＤＳＰ／ＣＰＵ３に送られる。 ＤＳＰ／ＣＰＵ３には、表示装置６、キー入力部７、時間計時部８が接続されるとともに、アドレス・データバス９を介してバッファメモリ（ＤＲＡＭ）１０、ＲＯＭ１１、保存メモリ１２が接続されている。バッファメモリ１０は、ＣＣＤ２により撮影された後デジタル化された被写体の撮影画像データ等を一時保存するバッファであるとともに、ＤＳＰ／ＣＰＵ３のワーキングメモリとしても使用される。バッファメモリ１０に一時保存された撮影画像データは、ＤＳＰ／ＣＰＵ３により圧縮（符号化）が行われ、最終的には所定のフォーマット（ＪＰＥＧ方式等）を備えた静止画ファイルや動画ファイルとして保存メモリ１２に記録される。ＲＯＭ１１には、ＤＳＰ／ＣＰＵ３の動作プログラムや各部の制御に使用するシーン番号、及びシーン番号に対応するシーン、サンプル画像、撮影条件、時間単位、時間表示の表現等の対応テーブルをはじめとする各種データが記憶されており、ＤＳＰ／ＣＰＵ３は、前記動作プログラムに従い動作することにより、選択手段、撮影制御手段、計時手段、時間単位変更手段、記録制御手段、表示手段、表示制御手段、時間表示変更手段、第１の設定手段、第２の設定手段として機能する。また、図２は、ＲＯＭ１１に記録されている各シーンの対応テーブルの例であり、この対応テーブルに従って、選択されたシーンに対応する制御を行う。
【００１９】
また、ＲＯＭ１１には、撮影時の露出値（ＥＶ）に対応する絞り値（Ｆ）とシャッタースピードとゲイン値との組み合わせを示すスループログラム線図を構成するプログラムＡＥデータも格納されている。そして、ＤＳＰ／ＣＰＵ３がプログラム線図により設定されるシャッタースピードに基づき設定した電荷蓄積時間はシャッターパルスとして、ＴＧ４を介してＣＣＤ２に供給され、これに従いＣＣＤ２が動作することにより電荷蓄積時間すなわち露光時間が制御される。つまりＣＣＤ２は電子シャッターとして機能する。
【００２０】
表示装置６は、カラーＬＣＤとその駆動回路とを含み、撮影待機状態にあるときにはＣＣＤ２によって撮像された被写体画像をスルー画像として表示し、記録画像の再生時には保存メモリ１２から読み出され伸張された記録画像を表示する。キー入力部７は、シャッターキー、電源キー、モード切替キー等の複数の操作キーを含み、ユーザ（使用者）によるキー操作に応じたキー入力信号をＤＳＰ／ＣＰＵ３に出力する。時間計時部８は、１／１０００秒まで計時可能なものであり、１／１０００秒単位の撮影時刻を計時し、この計時された時刻はＤＳＰ／ＣＰＵ３に取り込まれる。
【００２１】
次に、以上の構成からなるデジタルカメラ１における本発明の第１の実施形態を説明する。
ユーザのモード切替キーの操作によりベストショットモード（撮影条件選択画面）の状態になると、ＤＳＰ／ＣＰＵ３は前記プログラムに基づき図３に示すフローチャートに従って処理を実行する。すなわち、ベストショットモードの画面において、ＲＯＭ１１に記録されている前述した対応テーブル（図２）における各々のシーン（撮影条件）のサンプル画像及び番号が表示される（ステップＳ１０１）。このサンプル画像の中には、高速連写や低速連写等の撮影条件を表した画像も含まれる。そして、複数のサンプル画像の中から１つのシーン（サンプル画像）がユーザのキー入力部７のキー操作により選択されるまで待機し（ステップＳ１０２）、選択されたと判断すると（ＹＥＳ側）、ステップＳ１０３に進む。
【００２２】
次に、シャッターキーが押されるまで待機し（ステップＳ１０３）、シャッターキーが押されたと判断すると（ＹＥＳ側）、ＲＯＭ１１に記録されている対応テーブルに従って、ステップＳ１０２において選択されたシーンに対応する撮影条件に従ってデジタルカメラ１を制御し、撮影を行う（ステップＳ１０４）。また、撮影後、時間計時部８から１／１０００秒単位の現在時刻を撮影時刻として取得し（ステップＳ１０５）、ステップＳ１０４において得られた撮影画像とステップＳ１０２において選択されたシーンの番号及びステップＳ１０５において取得された撮影時刻を関連付けて撮影データとして保存メモリ１２に記録する（ステップＳ１０６）。ここで、撮影データは静止画ファイルであり、前述のシーン番号及び撮影時刻は静止画ファイルのメタデータとして記録されることになる。
【００２３】
次に、撮影画像再生時における処理を図４のフローチャートに示す。
ユーザのモード切替キーの操作により再生モードが選択されると、ステップＳ１０６において保存メモリ１２に記録された撮影データを読み出す。ここで、再生モード選択時は、最初に保存メモリ１２に記録された撮影データ（撮影データ番号ｎ＝１）を選択し（ステップＳ２０１）、撮影データの読み出しを行う（ステップＳ２０２）。次に、読み出した撮影データからシーン番号を検出し（ステップＳ２０３）、ステップＳ２０２で読み出した撮影データ内の撮影時刻を、ステップＳ２０３で検出したシーン番号に対応する時刻単位及び時刻表示の表現に、ＲＯＭ１１に記録されている対応テーブルに従って変更させ（ステップＳ２０４）、ステップＳ２０４で、時刻単位、及び時刻表示の表現を変更した撮影時刻を撮影画像と共に表示装置６の表示画面に表示する（ステップＳ２０５）。その後、表示されている撮影画像を切替える操作がキー入力部７によってされたかどうかの判断を行う（ステップＳ２０６）。ステップＳ２０６で、撮影画像を切替える操作がされたと判断した場合（ＹＥＳ側）には、撮影データ番号をｎ＝ｎ＋１として、ステップＳ２０２に戻り、次に記録された撮影データに対する処理を行う（ステップＳ２０７）。ステップＳ２０６で、撮影画像を切替える操作がされていないと判断した場合（ＮＯ側）には、ステップＳ２０５の表示を続ける。
【００２４】
ここで、撮影時刻の単位を変更するとは、本実施の形態では、１／１０００秒まで計時可能な時間計時部を備えたデジタルカメラであるので、例えば、日、時、分、秒、１／１０秒、１／１００秒、１／１０００秒のうち、どの時刻単位まで撮影時刻を表示するのかを決定するということであり、時刻表示の表現方法とは、例えば、アナログクロノグラフ時計、４桁デジタル時計、６桁デジタル時計、８桁デジタル時計、２針時計、３針時計などの時刻表現方法を変更するということである。
【００２５】
図５は、時刻単位の変更方法、及び時刻表示の表現方法の例を挙げたものであり、図５（ａ）は８桁デジタル時計、図５（ｂ）は６桁デジタル時計、図５（ｃ）は２針時計、図５（ｄ）は３針時計と６桁デジタル時計を同時に表示させたものである。
【００２６】
従って、本実施形態によると、撮影時刻を選択された撮影条件に適している単位、あるいは時刻表示の表現で知ることができる。図２を例にとると、高速連写時では１／１０秒単位まで表示することで、高速連写によって得られた撮影画像においても正確な撮影時間を得ることができる。また、撮影条件に対応させて撮影時刻単位あるいは時刻表示の表現を変更するため、撮影時刻単位あるいは時刻表示の表現から撮影条件を推測・集計することも可能になる。また、撮影データを記録する際、撮影時刻の単位を変更することなくデータとして保存メモリ１２に記録する。つまり、時間計時部８が１／１０００秒まで計時可能であったとすると、撮影時刻を１／１０００秒単位まで計時したデータをそのまま撮影時刻として記録するため、精度の高い撮影時刻をデータとして記録することができ、撮影データを表示する際にはシーンに適した単位、もしくはシーンに適した時刻表示の表現で撮影時刻を知ることが可能となる。
【００２７】
（第２の実施形態）
図６は、第２の実施形態を示すフローチャートである。ステップＳ３０１からステップＳ３０５まで第１の実施形態における図３のステップＳ１０１〜Ｓ１０５と同じフローチャートの処理を実行するが、撮影時刻を取得すると（ステップＳ３０５）、次に、ステップＳ３０５で取得した撮影時刻をステップＳ３０２で選択したシーンの番号に対応する時刻単位に、ＲＯＭ１１に記録されている対応テーブルに従って変更させ（ステップＳ３０６）、この時刻単位を変更した撮影時刻を、撮影画像及び選択されたシーンの番号と共に撮影データとして保存メモリ１２に記録する（ステップＳ３０７）。
【００２８】
従って、選択されたシーンに最適と思われる時刻単位で撮影時刻のデータを記録することが可能となり、撮影データを再生する際に、特別な処理を行うことなく、撮影時刻を撮影されたシーンに適した時刻単位、及び時刻表示の表現方法で表示させることができる。また、データを整理・管理する際に、撮影時刻単位から撮影条件を推測・集計することも可能になる。
【００２９】
（第３の実施形態）
図７は、第３の実施形態を示すフローチャートである。ベストショットモードの画面においてＲＯＭ１１に記録されている対応テーブルにおける各々のシーンのサンプル画像及び番号が表示される（ステップＳ４０１）。そして、複数のサンプル画像の中から、ユーザが１つのシーンを選択したと判断すると（ステップＳ４０２）、時間計時部８から現在時刻を取得する（ステップＳ４０３）。続いて、ステップＳ４０３で取得した現在時刻の単位と時刻表示の表現を、ステップＳ４０２で選択したシーンの番号に対応する時刻単位及び時刻表示の表現に、ＲＯＭ１１に記録されている対応テーブルに従って変更させる（ステップＳ４０４）。
【００３０】
次いで、ステップＳ４０４で時刻単位、及び時刻表示の表現が変更された現在時刻を表示装置６のスルー画像表示画面に表示し（ステップＳ４０５）、シャッターキーが押されたか否かの判断を行う（ステップＳ４０６）。ここで、シャッターキーが押されない場合（ＮＯ側）には、ステップＳ４０３〜４０５の処理を繰り返し、現在時刻を表示・更新し続ける。
【００３１】
そして、ステップＳ４０６において、シャッターキーが押されたと判断すると（ＹＥＳ側）、ＲＯＭ１１に記録されている対応テーブルに従って、ステップＳ４０２で選択されたシーンの番号に対応する撮影条件に従ってデジタルカメラ１を制御し、撮影する（ステップＳ４０７）。次に、撮影時刻を取得し（ステップＳ４０８）、この撮影時刻をＲＯＭ１１に記録されている対応テーブルに従って、ステップＳ４０２で選択したシーンの番号に対応する時刻単位及び時刻表示の表現に変更させる（ステップＳ４０９）。そして、撮影画像と選択されたシーン番号と時刻単位及び時刻表示の表現を変更した撮影時刻を撮影データとして保存メモリ１２に記録する（ステップＳ４１０）。
【００３２】
従って、撮影時における表示装置６のスルー画像表示画面において、選択されたシーンに適していると思われる時刻単位、もしくは時刻表示の表現方法で現在時刻を確認することができ、撮影後に記録される撮影時刻もスルー画像に表示される単位、及び表現方法と同じように記録されるため、記録した撮影データを再生する際の時刻単位、及び時刻表示の表現方法を撮影時のスルー画像において確認することができる。また、シーンの選択結果に応じて時刻単位、もしくは時刻表示の表現方法を変更しているので、スルー画像表示画面に表示されている時刻の単位、もしくは時刻表示の表現方法から、選択したシーンを推測することも可能となる。
【００３３】
（第４の実施形態）
図８は、ユーザのモード切替キーの操作により設定モードが選択され、前述した対応テーブル（図２）の設定を変更する際の処理を示すフローチャートである。ユーザのモード切替えキーの操作により設定モードが選択されると（ステップＳ５０１）、各シーンのサンプル画像が一覧表示され（ステップＳ５０２）、その中から１つのシーンが選択されたか否かの判断を行う（ステップＳ５０３）。ステップＳ５０３においてシーンが選択されると（ＹＥＳ側）、次に設定可能な時刻単位のメニューが一覧表示され（ステップＳ５０４）、その中から１つをユーザがキー操作によって選択したか否かの判断を行う（ステップＳ５０５）。ステップＳ５０５においてユーザが時刻単位を選択すると（ＹＥＳ側）、次に、設定可能な時刻表示の表現方法のメニューが一覧表示され（ステップＳ５０６）、その中から１つをユーザがキー操作によって選択したか否かの判断を行う（ステップＳ５０７）。ステップＳ５０７において、ユーザが時刻表示の表現を選択すると（ＹＥＳ側）、ＲＯＭ１１に記録されている対応テーブル内において、ステップＳ５０３で選択したシーンに対応する時刻単位、及び時刻表示の表現方法をステップＳ５０５とステップＳ５０７における選択結果に基づいて変更させる（ステップＳ５０８）。この処理によって行われたＲＯＭ１１に記録されている対応テーブルの設定変更は、ＲＯＭ１１に上書き保存され、デジタルカメラ１の電源を切っても、次回撮影時に反映される。
【００３４】
従って、本実施形態では、ユーザが各々のシーンに対して、最適だと思われる時刻の単位、もしくは時刻表示の表現方法を設定する手段を更に備えることで、ユーザが各々の撮影条件に対して最適だと思われる単位及び表現方法で撮影時刻を記録したり表示することが可能となる。
【００３５】
（変形例）
上記各実施形態においては、時間計時部８が計時可能な時刻単位まで、単位の変更が可能である場合を例に挙げて説明したが、時間計時部８が計時可能な時刻単位以下の時刻単位まで単位の変更が可能であるようにしてもよい。例えば、秒単位まで計時可能な時間計時部８を備えたデジタルカメラにおいて、連写することにより複数の画像を得た場合、最初の画像を撮影した時刻は時間計時部８から計時されたものを使用し、２枚目の画像からは、撮影時の連写スピードにおける撮影間隔の時間と最初の画像を撮影した時刻から撮影時刻を算出し、１／１０秒単位、１／１００秒単位の撮影時刻を取得することも可能である。
【００３６】
また、上記各実施形態においては、撮影時刻の単位、及び時刻表示の表現を変更する場合を例に挙げて説明したが、時刻ではなく時間の場合でも上記各実施形態と同様の効果が得られる。例えば、連写撮影時において、シャッターボタンが押されてから、撮影間隔や一連の連写撮影が終わるまでの時間を計時し、連写スピードに応じて、計時された時間の単位、及び時間表示の表現方法を変更させることも可能である。
【００３７】
また、上記各実施形態においてはベストショットモードの画面においてサンプル画像の一覧表示の中から、ユーザが１つのシーンを選択するとしたが、シーンの選択方法はこれに限定されず、ベストショットモードの状態で表示画面にシーンの名前だけを表示してもよいし、ユーザのキー操作によって連写スピードやシャッタースピードを設定してもよい。
【００３８】
また、上記各実施形態において、表示画面に表示された撮影時刻の単位及び時刻表示の表現方法を、ユーザのキー操作によって、表示画面で切り替えができるようにしてもよい。
【００３９】
また、上記各実施形態においては時刻を表示する際に、デジタル時計もしくはアナログ時計を表示画面に表示するようにしたが、撮影時刻の表現方法はこれに限定されず、ユーザに時刻を認識させることができる表現の画像を表示画面に表示すればよい。
【００４０】
また、上記各実施形態においては撮影データを記録する際に、選択されたシーンを番号によって記録しているが、シーン番号である必要はなく、要はユーザに選択されたシーンを認識させることができるデータであればよい。同様のことが再生時の処理においても言える。
【００４１】
また、前記第２の実施形態において、時刻単位を変更した撮影時刻を記録するようにしたが、時刻単位を変更していない撮影時刻と再生時に変更させる時刻単位を表すデータを撮影画像と共に記録させてもよい。
【００４２】
また、前記第３の実施形態において、時刻単位及び時刻表示の表現方法を変更させた撮影時刻を記録するようにしたが、単位を変更していない撮影時刻と再生時に変更させる時刻単位を示すデータと表示させる際の表現方法を示すデータを撮影画像と共に記録させてもよい。
【００４３】
また、前記第３の実施形態における連写撮影時には、連写開始から連写終了までの間、シーンの選択結果に応じて時刻の単位及び時刻表示の表現方法を変更させた現在時刻をスルー画像内に表示させ続けてもよい。
【００４４】
また、上記各実施形態における時刻の表示位置は、図５のように表示画面の右下である必要はなく、表示画面内であれば、どの位置に表示してもよい。また、図５（ｄ）において、３針時計と６桁デジタル時計を同時に表示させているように、複数の表現方法を組み合わせて表示してもよい。
【００４５】
また、前記第４の実施形態において、時刻単位、及び時刻表示の表現の設定を変更する際に、設定可能な単位、及び表示の表現のメニューを一覧表示するとしたが、一覧表示の方法はこれに限定されない。例えば、時刻単位を設定変更する場合は、時刻単位の桁数を数字で表示してもよいし、時刻表示の表現を変更する場合は、各表現方法の表示例を画像によって一覧表示してもよいし、「デジタル」「３針アナログ」「デジタル＋２針アナログ」といった言葉を一覧表示させてもよい。
【００４６】
また、前記第４の実施形態におけるステップＳ５０５及びステップＳ５０７において成された設定はＲＯＭ１１に上書き保存され、一度電源を切っても次回撮影時に反映されるようにしたが、一度電源を切れば、初期設定に戻すようにしてもよい。
【００４７】
また、上記各実施形態においては、本発明をデジタルカメラ１に適用した場合について説明したが、上記の実施形態に限定されるものではなく、要は、被写体を撮影し、時刻を計時することが可能である機器であれば適用可能である。
【００４８】
また更に、図４における記録された撮影画像を再生する際の処理を実行するのは、撮影装置である必要はなく、記録媒体に記録されたデータを画像表示することができるものであればよい。
【００４９】
最後に、本発明の上記各実施形態は、何れも最良の実施形態としての単なる例に過ぎず、本発明の原理や構造等をより良く理解することができるようにするために述べられたものであって、添付の特許請求の範囲を限定する趣旨のものでない。したがって、本発明の上記実施形態に対してなされ得る多種多様な変形ないし、修正はすべて本発明の範囲内に含まれるものであり、添付の特許請求の範囲によって保護されるものと解さなければならない。
【図面の簡単な説明】
【００５０】
【図１】本発明に係るデジタルカメラ１の機能的構成を示すブロック図である。
【図２】ＲＯＭ１１に記憶させる、撮影シーンに対応させるサンプル画像、撮影条件、時刻の単位と、時刻表示の表現方法の一例を表す対応テーブルを示す図である。
【図３】第１の実施形態におけるデジタルカメラ１が実行する処理を示すフローチャートである。
【図４】第１の実施形態において記録された撮影データを再生する際にデジタルカメラ１が実行する処理を示すフローチャートである。
【図５】時刻単位、及び表現方法が変更された撮影時刻の表示例を示す図である。
【図６】第２の実施形態におけるデジタルカメラ１が実行する処理を示すフローチャートである。
【図７】第３の実施形態におけるデジタルカメラ１が実行する処理を示すフローチャートである。
【図８】第４の実施形態におけるデジタルカメラ１が実行する処理を示すフローチャートである。
【符号の説明】
【００５１】
１  デジタルカメラ
２  ＣＣＤ
３  ＤＳＰ／ＣＰＵ
４  ＴＧ
５  ユニット回路
６  表示装置
７  キー入力部
８  時間計時部
９  データバス
１０  バッファメモリ
１１  ＲＯＭ
１２  保存メモリ
【図１】
0005470688.tif 000002
【図２】
0005470688.tif 000003
【図３】
0005470688.tif 000004
【図４】
0005470688.tif 000005
【図５】
0005470688.tif 000006
【図６】
0005470688.tif 000007
【図７】
0005470688.tif 000008
【図８】
0005470688.tif 000009